Podtech/llm-jp-corpus-v4-ja_patent huggingface dataset:
(57)【要約】【課題】  水中銃の弾頭を小型化し、水中銃として撃ちもらした標的や複数の標的に対し、簡易な連続射撃をすることで対応出来るようにする。【解決手段】  回転軸１の外縁に複数の銃身４を装着するとともに、その銃身４に禁水性物質から成る作薬を有する弾丸を装填し、射撃をしては銃身４の束を回転させ銃身を交換し再び同様の射撃が銃身の数だけ出来るような機構を特徴とする。【選択図】図１
0003120448.tif 000002
【実用新案登録請求の範囲】
【請求項１】
水中で連続使用することを目的とする、複数の銃身を回転軸外縁に等間隔で配置した型状をなし、その一銃身毎に禁水性物質の装薬入り薬莢を有する弾丸とスライド式ピックを一組にして装填し、装置でピックを押すことにより、薬莢を裂き、装薬と水を反応させ、そこで生じた圧力により弾丸を発射する機構の多連装水中銃。
【考案の詳細な説明】
【技術分野】
【０００１】  本考案は、軍事を除き、魚類の捕獲や、鮫、鯱などの海中猛獣を撃退する際に使用する水中銃に関する。
【背景技術】
【０００２】  従来の民間用水中銃は一本の銛を何らかの動力で発射し、一回発射する毎に次回発射用の銛を銃身に再装填しなければいけない機構である。【０００３】  なお、本願考案に関連する公知技術として次の特許文献１を挙げることが出来る。【０００４】
【特許文献１】  特許公開２０００−１０５０９９
【考案の開示】
【考案が解決しようとする課題】
【０００５】  上記の様に、従来の水中銃は、威力は有るものの、弾頭一回発射毎に発射物を再装填する手間が有り、その発射物も、ほとんどの場合銛状をなしていて、複数発射をする目的でその全備の持ち運びをしながら水中を移動することは難しい。【０００６】  このため、鮫の研究者で構成されるダイバーチームは、水中銃の装備はするものの、その銃は、素早く襲い来る鮫に対する自衛兵器としての効果は無く、もっぱら魚を捕獲しこの魚を餌として鮫をおびき寄せる作業に用いる。【０００７】  本考案は、上記課題のような点を考慮して成されたものであり、その目的は、水中銃銃身を複数備えることで、銃身と同じ数のあらかじめ装填された弾丸を容易な操作で連続発射し、従来品よりも短時間で、初発で撃ちもらした標的を何度となく再射撃するか、複数の標的の順次射撃を可能にすることにある。
【課題を解決するための手段】
【０００８】  上記の目的を達成する本考案の回転式多連装砲身水中銃は、禁水性物質の炸薬を使用する弾丸と、その装薬と水を反応させるための補充具であるスライド式ピック、そしてそれらを収納して使用する水中銃から成り、その水中銃は、回転軸を中心に複数の銃身を外縁に等間隔で設置した構造であり、射撃毎にラチェットのブレーキを利用しつつ軸を回転させ、射撃装置位置の銃身を交代させられる特徴を持つ。【０００９】  使用体勢として、右手で銃後部のグリップと引鉄を持ち、左手は銃身を回転させらられるように、銃身束の外縁帯をつかむことによって、本考案水中銃をかまえる姿になる。
【考案の効果】
【００１０】  以上説明したように、本考案によれば、水中で銃の射撃を行った後、軸の回転で素早く銃身交換をして再射撃出来るようにしたので、連射に近い射撃が可能になる。この水中銃を使用することは、複数の標的や、一度射撃して撃ちもらした標的に対して有効である。
【考案を実施するための最良の形態】
【００１１】  以下、本考案の実施の形態を図面に基づき詳細に説明する。【００１２】  図１〜図４は、本考案の実施の形態に係り、図１はその横から見た外観図、図２はその銃身の内の一つで後部の装弾口の断面図、図３はその銃身に装弾した時の断面図図４はその銃身の銃口付近の斜視図である。【００１３】  銃身４は、図１と図４で示すように、回転軸１の外縁に等間隔で設置されている。これを運用するときは、外縁帯１２を持って銃身を回転させ、ピック押し９の位置に銃身４後部の位置を合わせた後、引鉄８を引き射撃する。次回射撃のときは前回射撃と同様の措置をとる。【００１４】  射撃前には銃身に弾丸を装填する。装填順序として、射撃装置（ピック押し９）位置に達する前の銃身の装填口から弾丸装填を行う。第一に図２で示す、穴付ボルト６を回して取り、装填口に弾丸１３と１４を押し込め、第二ににスライド式ピック１５を差込み最後に１５のピック後部を穴に通す要領で穴付ボルト６で蓋をする。この一連の動作は銃身を回転させながら別の銃身にも施し、すべての銃身に装弾する。【００１５】  弾丸を発射させる仕組みは、図１で示す引鉄８を引く所から始まる。引鉄８を引くと、その力が直接ピック押し９にてこの力と共に伝わり、スライド式ピック１５を押すに至る。そして、そのピックが図３に示すカートリッジ１４の薄い尻部を突き破りカートリッジ内部の禁水性物質から成る炸薬と反応室に溜まっていた水とが反応し圧力が生じる。その力で、弾頭１３が銃身から射出される【００１６】  銃身を支え、かつ回転させて運用するための回転軸１は、シールド付スタンドに刺さった状態になっていて、そのまま抜けないよう、前部はストッパー３、後部はストッパーも兼ねるラチェット２で留められている。銃身を回転移動させたとき、銃身後部と射撃装置が平行して止まれるように、ラチェット２には銃身の数と同じかその倍数の歯がついていて、逆回転も防止する。【００１７】  水中、陸上をかまわず、使用済みの空薬莢１４を銃身４から廃棄する場合は、銃身４の穴付ボルト６を全て取り、回転軸１の爪型ホルダーに収まっている掃除兼空薬莢廃棄棒１６を取り出してから射撃装置位置に達する前の銃身の図４示す銃口にその棒を入れ、空薬莢１４を後部に押し出すようにする。
【図面の簡単な説明】
【００１８】
【図１】  本考案の回転式多連装砲身水中銃の外観図である。
【図２】  一銃身後部の装弾位置周辺の断面図である。
【図３】  一銃身後部の装弾位置に装弾した状態の時の断面図である。
【図４】  銃口前部の外観斜視図である。
【符号の説明】
【００１９】  １  回転軸
２  ラチェット
３  ストッパー
４  銃身
５  反応室
６  穴付ボルト（蓋）
７  グリップ
８  引鉄兼てこ
９  ピック押し
１０  シールド付スタンド
１１  グリスニップル
１２  外縁帯
１３  弾頭
１４  カートリッジ
１５  スライド式ピック
１６  掃除兼空薬莢廃棄棒
【図１】
0003120448.tif 000003
【図２】
0003120448.tif 000004
【図３】
0003120448.tif 000005
【図４】
0003120448.tif 000006
(57)【要約】      （修正有）【課題】遠くからでも認識することができ敵味方が一目でわかり、サポーターの士気と団結を高めることが出来る、スポーツ観戦時における応援用の麦わら帽子を提供する。【解決手段】麦わら帽子にロゴマークまたはキャラクターデザイン等を付する。【選択図】図１
0003120442.tif 000002
【実用新案登録請求の範囲】
【請求項１】
表面にスポーツチームのロゴマークまたはキャラクターデザイン等を付された麦わら帽子
【考案の詳細な説明】
【考案の詳細な説明】
【産業の利用分野】
【０００１】この考案は、スポーツ観戦の際に使用する麦わら帽子に関するものである。
【従来の技術及び考案が解決しようとする課題】
【０００２】屋外での炎天下のスポーツ観戦時には、麦わら帽子を着用することが多い。しかし、従来の麦わら帽子にはスポーツチームのロゴマークまたはキャラクターデザイン等を付されたものは無い。
【考案を解決しようとする手段】
【０００３】麦わら帽子の表面にスポーツチームのロゴマークまたはキャラクターデザイン等を付する。
【考案の効果】
【０００４】スポーツ観戦では、味方チームの応援団（以下、「サポーター」）が応援グッズを手に持ち、または身に装着して応援する。麦わら帽子の表面にスポーツチームのロゴマークまたはキャラクターデザイン等を付すると、人体の一番上部に装着するものであるから、遠くからでも認識することができ敵味方が一目でわかる応援グッズになります。また、麦わら帽子の色を各チームカラーにすることによって、多くのサポーターが装着すると競技場のスタンドはチームカラー一色にすることができ、サポーターの士気と団結を高めることが出来る。ロゴマークまたはキャラクターデザイン等はチームをサポートする企業のイメージであるから、サポーターが競技場以外でも着用することによって宣伝効果も期待できる。
【図面の簡単な説明】
【図１】麦わら帽子の前面にロゴマークを付した本考案の一実施例である。
【符号の説明】
１、  麦わら帽子
２、  ロゴマーク
【図１】
0003120442.tif 000003
(57)【要約】      （修正有）【課題】使用時における安全性を向上させると共に、刃先端部での使用を可能とし、さらには、カッター刃を効率よく使用することができるスライド式カッターを提供する。【解決手段】カッター刃２を折り取る場合、カッター刃２を係止部材７部分より折溝３に沿って折り取る。すると、カッター刃２′とカバー１０′が一体的に折り取られる。この際、カバー１０′には、第二切れ目１３部分に沿った突片１４が形成される。また本体部分のカバー１０の先端は突片１４により切欠され、かかる切欠部分には、カッター刃２の刃先端部４が露出される。【選択図】図３
0003120443.tif 000002
【実用新案登録請求の範囲】
【請求項１】
カッター刃をスライド自在に形成したスライド式カッターにおいて、前記カッター刃に、カッター刃を折り取った際、カッターの刃先端部のみを露出させるカバーを被覆させたことを特徴とするスライド式カッター。
【請求項２】
前記カバーの切れ目は、カッター刃の折溝に沿って設けられる第一切れ目と、かかる第一切れ目に連設された、カッターの刃先端部のみを露出させる第二切れ目とで構成されている請求項１記載のスライド式カッター。
【考案の詳細な説明】
【技術分野】
【０００１】  本考案は、使用時における安全性を向上させることができるスライド式カッターに関する。
【背景技術】
【０００２】  従来、カッター刃出し入れ式のカッターにおいて、簡単な改良を加えることにより使用時の安全性を高めるカッターがある（例えば特許文献１参照）。
上掲特許文献１のカッターは、カッター刃と、カッター刃を出し入れ可能に保持する枠体と、カッター刃に連結され、枠体に相対移動可能に係合する、カッター刃を出し入れし所定の位置でカッター刃を固定する移動操作部を有するカッターにいて、カッター刃が突き出る枠体の先端に、カッター刃を覆うカバー部材を設け、カバー部材にカッター刃の刃先側に開放する切り込みを設けたことを特徴とする。
【特許文献１】実開平６−６６５７０号公報（第１−２頁、図１）
【考案の開示】
【考案が解決しようとする課題】
【０００３】  しかしながら、上掲特許文献のカッターは、切り込みがカッターの刃先側に設けられているため、刃先端部での使用が不可能であった。また、カッター刃にカバー部材が被覆されているため、刃先が劣化した刃を折溝に沿って折り取ることができなかった。【０００４】  そこで本考案は上記の点に鑑み、使用時における安全性を向上させると共に、刃先端部での使用を可能とし、さらには、カッター刃を効率よく使用することができるスライド式カッターを提供することにある。
【解決を解決するための手段】
【０００５】  上記課題を解決するために、カッター刃をスライド自在に形成したスライド式カッターにおいて、前記カッター刃に、カッター刃を折り取った際、カッターの刃先端部のみを露出させるカバーを被覆させたことを特徴とする。また前記カバーの切れ目は、カッター刃の折溝に沿って設けられる第一切れ目と、かかる第一切れ目に連設された、カッターの刃先端部のみを露出させる第二切れ目とで構成されている。
【考案の効果】
【０００６】  カッター刃を折り取った際、カッターの刃先端部のみを露出させるカバーを被覆したことにより、カッター刃を折り取った際、露出した箇所は刃先端部のみとなり、使用時における安全性を向上させることができる。また前記カバーの切れ目は、カッター刃の折溝に沿って設けられる第一切れ目と、かかる第一切れ目に連設された、カッターの刃先端部のみを露出させる第二切れ目とで構成されているため、使用中に刃先端部の切れ味が劣化した場合、通常のように刃を折り取ることで、自動的に新しい刃先端部のみが露出される。
【考案を実施するための最良の形態】
【０００７】  以下、本考案のスライド式カッターにおける実施の形態を図面に基づいて説明する。
図１に示すスライド式カッター１は、スライド式に出し入れ可能なカッター刃２と、かかるカッター刃２をスライドさせる操作部６と、カッター刃２の折溝３に係止される係止部材７と、カッター刃２、操作部６、係止部材７を保持するカッター本体８とで構成されている。【０００８】  また特に、前記カッター刃２には、図示するように、ナイロン、ビニール、プラスチック等の合成樹脂で形成されているカバー１０が被覆されている。前記カバー１０は、接着剤、もしくは熱融着等の手法によりカッター刃２に装着されている。なお前記カバー１０は、カッター刃２の全体を被覆するものであるが、特に怪我の元になる刃先５周囲を覆うものでもよい。【０００９】  また前記カバー１０には、カッター刃２を折溝３に沿って折り取った際、カッターの刃先端部４のみを露出させる切れ目１１が設けられている。前記切れ目１１は、カッター刃２の折溝３に沿って設けられる第一切れ目１２と、かかる第一切れ目１２に連設された、カッターの刃先端部４のみを露出させる第二切れ目１３とで構成されている。前記切れ目１１は、カッター刃２を折溝３に沿って折り取った際、同時にカバー１０が離脱できる状態に施されている。また第一切れ目１２は、折溝３に沿って設けられており、カッター刃２の刃先５の略２〜５ｍｍ前まで施されている。また第二切れ目１３は、任意角度でカッター本体８方向に折曲されており、刃先５の先方まで施されている。【００１０】  前記カッター刃２を折り取る場合、図３に示すように、カッター刃２を係止部材７部分より折溝３に沿って折り取る。すると、カッター刃２′とカバー１０′が一体的に折り取られる。この際、カバー１０′には、第二切れ目１３部分に沿った突片１４が形成される。また本体部分のカバー１０の先端は突片１４により切欠され、かかる切欠部分には、カッター刃２の刃先端部４が露出される。【００１１】  本考案のスライド式カッターを使用する場合、図４に示すように、露出した刃先端部４で通常のようにカット作業を行う。なおこの際、怪我のもとになる鋭利な部分は、カッター刃２の先端に露出した刃先端部４のみなので、刃先５により切り傷を負う心配がない。
【図面の簡単な説明】
【００１２】
【図１】本考案のスライド式カッターの全体斜視図である。
【図２】カッター刃の全体図である。
【図３】カッター刃を折り取る状態を示す。
【図４】本考案のスライド式カッターの使用状態を示す。
【符号の説明】
【００１３】１      スライド式カッター
２      カッター刃
２′    カッター刃
３      折溝
４      刃先端部
５      刃先
６      操作部
７      係止部材
８      カッター本体
１０    カバー
１０′  カバー
１１    切れ目
１２    第一切れ目
１３    第二切れ目
１４    突片
【図１】
0003120443.tif 000003
【図２】
0003120443.tif 000004
【図３】
0003120443.tif 000005
【図４】
0003120443.tif 000006
(57)【要約】      （修正有）【課題】舞踏、体育祭、イベント等の小道具として用いる鳴子において、柄を除く基盤本体に４０〜８０％の空洞を設けた音響、音色効果と軽量効果を併せ持つ鳴子の提供。【解決手段】基盤本体１に空洞部４を設け、両面に棒状の叩棒（バチ）３の部材を取付け、叩棒（バチ）を半回転させ叩打すると太鼓のような音を発生する。図３，図４の鳴子では、空洞の中に小石、小木竹片等をいれて基盤本体に取付けた棒状（バチ）で叩打する事で、異色の音色を発生する。図３，図４の鳴子は、柄を除く基盤本体の空洞部に対して１０〜５０％の穴（ホール）を空洞の片面に開け、基盤本体の両面に棒状の叩棒（バチ）を取付けて叩打する事で、容量の大きい音を発生し、音響の幅が広がる。右手に図１、左手に図３の鳴子を持って踊る事が出来る。また、音楽に併せて、図１，図３の鳴子を交換して踊り易くする。軽量化で疲労が軽減し、老人や子供達も長時間の踊りに使用出来る事を特徴とする。【選択図】図２
0003120446.tif 000002
【実用新案登録請求の範囲】
【請求項１】
舞踏等の小道具として、用いる鳴子の基盤本体に複数の棒状の叩棒（バチ）を設け、基盤本体の両面に取り付た叩棒（バチ）で基盤を叩打する事により、音を発生する鳴子において、基盤本体柄の部分を除いて空洞率４０〜８０％の空洞構造を有する事で，優れた音響を発生する事を特徴とする空洞鳴子。
【請求項２】
請求項１記載の空洞鳴子において、空洞の中に小石、木竹片等を入れる事で、音質、音色の響きを向上させる事を特徴とする空洞鳴子。
【請求項３】
請求項１記載の空洞鳴子において、基盤本体空洞部片面の中央部に１０〜５０％の穴（ホール）を開ける事で、音響、音質に幅を有する事を特徴とする空洞鳴子。
【考案の詳細な説明】
【技術分野】
【０００１】  祭礼や催し事における、アトラクションの舞踏などの小道具として用いられる鳴子において、音響、音色効果と軽量効果を併せ持つ鳴子に関するものである。
【背景技術】
【０００２】  従来の鳴子は、木竹材料を使用し、無垢材の板で作られた物が多く音響及び音階の幅に上下が少なく重量も重い。
【考案の開示】
【考案が解決しようとする課題】
【０００３】  従来の鳴子では、発生音が一定で、しかも音量が少なく音に幅がなかった。また、重量が重く老人や子供達には長時間の使用は疲労の原因となる。
【課題を解決するための手段】
【０００４】  本考案の鳴子は、柄の部分を除く基盤の中央部に空洞構造を有して、空洞の中に小石、小木竹片等を入れる事により音響、音色の幅を広げて、音響効果を向上する。従来の鳴子には無かった空洞を設け、その割合は基盤に対し空洞面積は４０〜８０％とし、基盤本体の両面に棒状の叩棒（バチ）を取付けて叩棒を半回転させて、基盤を叩打する事で良い音響、音色を発生する事を特徴とする。
【考案の効果】
【０００５】  従来の鳴子では、発生音が一定で高温低音に変化がなかった。本考案は、鳴子に空洞構造を設ける事により、より良い音響と音質が向上し、また、鳴子本体の重量が軽量となるため、疲労を軽減して長時間使用が出来る事を特徴とする。
【考案を実施するための最良の形態】
【０００６】  本考案は、鳴子本体に溝穴を作り、それを密閉して太鼓のような空洞部を設ける。一方では、空洞の中に小石、小木竹片等を入れ密閉して異色の音を発生する。【０００７】  更に空洞の片面中央部に１０〜５０％の穴を開け、棒状の叩棒（バチ）３で叩打して音響の良い音色を発生する。
【実施例】
【０００８】  基盤本体１の両面に１本以上複数の棒状の叩棒（バチ）３を半回転させて音を発生する。【０００９】  基盤本体１に空洞４を設け、基盤の両面に取付けた棒状の叩棒（バチ）３を半回転させて音を発生する。【００１０】  基盤本体１に空洞４を作りその中に小石、小木竹片等を入れ棒状の叩捧（バチ）３を半回転させて異色の音を発生する。【００１１】  基盤本体空洞４の両面の中央部に１０〜５０％の穴を開けて、棒状の叩棒（バチ）３を半回転と動揺させて音を発生する。
【図面の簡単な説明】
【００１２】
【図１】  空洞鳴子の平面図
【図２】  空洞鳴子の断面図
【図３】  空洞鳴子の斜視図
【図４】  空洞鳴子のホール（音質調整穴）を示す断面図
【符号の説明】
【００１３】          １  基盤本体
２  柄
３  叩棒（バチ）
４  空洞
５  小石、木竹片等
６  ホール（音質調整穴）
【図１】
0003120446.tif 000003
【図２】
0003120446.tif 000004
【図３】
0003120446.tif 000005
【図４】
0003120446.tif 000006
(57)【要約】【課題】レーザーオップアートを照射可能の携帯電話を提供する。【解決手段】主として、携帯電話のケースにおいて、適当な位置にレーザーインジケーターを組立て、レーザービームを照射でき、レーザーインジケーターは、制御ボタンやレーザー発生器、ロックナット、灯マスク及び透過シート等の部品からなり、制御ボタンを押すことにより、電源スイッチがオンになり、レーザー発生器は、発光端から発光して透過シートを通し、灯マスクの透過穴から照射し、また、透過シートに適当な透過図柄が設けられるため、レーザービームが、拡大されて図柄を表示し、そのため、夜間の公演場所や夜間での遊ぶ時のオップアートに適合し、また、手を制御ボタンから離すと電源スイッチがオフになってレーザービームが消え、また、当該レーザー発生器と携帯電話ケースとの間にアンテナ連結シートが設けられ、当該レーザーインジケーターは携帯電話のアンテナとして利用される。【選択図】図２
0003120465.tif 000002
【実用新案登録請求の範囲】
【請求項１】
携帯電話ケースにレーザーインジケーターを組立て、レーザービームを照射でき、当該レーザーインジケーターが、制御ボタンやレーザー発生器、ロックナット、灯マスク及び透過シート等の部品とからなり、
当該制御ボタンが、内から外へ携帯電話ケースの側面穴から露出するように組み立てられ、その裏側が、レーザー発生器の電源スイッチに抵当し
当該レーザー発生器の発光端の外周縁に、雄ねじ段が設けられ、当該雄ねじ段が、内から外へ携帯電話ケースの貫通穴から露出するように組み立てられ、また、ロックナットによりロックされ、また、チップ基板に、電源スイッチと電源配線が組み立てられ、
当該灯マスクが、レーザー発生器の雄ねじ段上にロックされ、その上面に透過穴が形成され、また、当該透過穴の内側に透過シートが組み立てられ、
上記の部品の組立てにより、制御ボタンが押されると、電源スイッチがオンになり、当該レーザー発生器が発光して透過シートを通し、灯マスクの透過穴から照射し、また、手を制御ボタンから離すと、電源スイッチがオフになってレーザービームが消える
ことを特徴とするレーザーオップアートを照射可能の携帯電話。
【請求項２】
当該透過シートに適当な透過図柄が設けられ、当該レーザービームが透過図柄を照射することにより、当該図柄を表示できることを特徴とする請求項１に記載のレーザーオップアートを照射可能の携帯電話。
【請求項３】
当該レーザー発生器と携帯電話ケースとの間に、アンテナ連結シートが設けられ、当該アンテナ連結シートに、携帯電話の基板に接続される導線が設けられ、これにより、当該レーザーインジケーターが、携帯電話のアンテナとして利用されることを特徴とする請求項１に記載のレーザーオップアートを照射可能の携帯電話。
【考案の詳細な説明】
【技術分野】
【０００１】
本考案は、レーザーオップアートを照射可能の携帯電話に関し、特に、携帯電話にレーザーインジケーターが増設され、レーザービームを照射することができるものに関する。
【背景技術】
【０００２】
図１は、一般の携帯電話の構造であり、携帯電話ケース１１の上部の一側に、アンテナ１２が螺合されるか、当該アンテナ１２の位置に、受信ランプ表示装置が組み立てられる。
【０００３】
科技の発展が速い時代であるため、製品にとって、構造や機能について突破しないと、優れた競争力を維持することができなく、携帯電話としては、例外できず、前記の従来の携帯電話が登場してから長い期間が経った為、その外観や構造と言っても、極普通のものであり、そのため、新鋭性や変化性が欠如されて、ユーザーが其れに対してあまり興味がない。
【考案の開示】
【考案が解決しようとする課題】
【０００４】
本考案の主な目的は、より実用的なものであるレーザーオップアートを照射可能の携帯電話を提供する。
【課題を解決するための手段】
【０００５】
本考案は、上記の目的を達成するために、携帯電話にレーザーインジケーターを組立て、レーザービームを照射できることにより、投影紹介や講演或いは授業に適用されることだけでなく、夜間のオップアートにも適合する、より実用的なものであるレーザーオップアートを照射可能の携帯電話である。
【考案を実施するための最良の形態】
【０００６】
本考案は、図２と図３のように、レーザーオップアートを照射可能の携帯電話を提供し、主として、携帯電話ケース２１において、適当な位置にレーザーインジケーター３０を組立て、レーザービームを照射でき、当該レーザーインジケーター３０に、制御ボタン３１やレーザー発生器３２、ロックナット３３、灯マスク３４及び透過シート３５等の部品があり、
当該制御ボタン３１が、内から外へ携帯電話ケース２１の側面穴２１１から露出するように組み立てられ、その裏側が、レーザー発生器３２の電源スイッチ３２４に抵当し、
当該レーザー発生器３２の発光端３２１の外周縁に、雄ねじ段３２２が設けられ、当該雄ねじ段３２２が、内から外へ携帯電話ケース２１の貫通穴２１２から露出するように組み立てられ、また、ロックナット３３によりロックされ、また、チップ基板３２３に、電源スイッチ３２４と電源配線３２５が組み立てられ、
当該灯マスク３４が、当該レーザー発生器３２の雄ねじ段３２２上にロックされ、その上面に透過穴３４１が形成され、また、当該透過穴３４１の内側に透過シート３５が組み立てられ、
当該透過シート３５の表面に、適当に、透過図柄が設けられ、
上記の部品により、制御ボタン３１が押されると、電源スイッチ３２４がオンになり、当該レーザー発生器３２の発光端３２１から発光して透過シート３５を通し、灯マスク３４の透過穴３４１から照射し、また、当該透過シート３５に適当な透過図柄が設けられるため、当該レーザービームが、拡大されて当該図柄を表示し、また、指を制御ボタン３１から離すと、電源スイッチ３２４がオフになってレーザービームが消える。
【０００７】
また、当該レーザー発生器３２と携帯電話ケース２１との間に、アンテナ連結シート４１が設けられ、当該アンテナ連結シート４１に、携帯電話の基板に接続される導線４１１が設けられ、これにより、当該レーザーインジケーター３０が、携帯電話のアンテナとして利用される。
【図面の簡単な説明】
【０００８】
【図１】従来の組立て立体図
【図２】本考案の局部構造の組み立て断面図
【図３】本考案の組立て側面図
【符号の説明】
【０００９】
２１          携帯電話ケース
２１１        側面穴
２１２        貫通穴
３０          レーザーインジケーター
３１          制御ボタン
３２          レーザー発生器
３２１        発光端
３２２        雄ねじ段
３２３        チップ基板
３２４        電源スイッチ
３２５        電源配線
３３          ロックナット
３４          灯マスク
３４１        透過穴
３５          透過シート
４１          アンテナ連結シート
４１１        導線
【図１】
0003120465.tif 000003
【図２】
0003120465.tif 000004
【図３】
0003120465.tif 000005
(57)【要約】      （修正有）【課題】非常事態や危険の発生を知らせるための警報ブザーの取り付け具に関し、殊に警報ブザーを身体の適所に取り付けて非常時や災害発生時に確実に警報を発することが出来るようにする。【解決手段】手首や足首などの適宜な箇所に取り付けることの出来るように構成したバンドにポケットを形成して警報ブザーの取り付け具とし、一方警報ブザーはスイッチを面状の押しボタンスイッチにし、これをバンドのポケットに入れてポケットの上から警報ブザーを押さえることによりスイッチを操作することが出来るようにした。【選択図】図１
0003120461.tif 000002
【実用新案登録請求の範囲】
【請求項１】
手首や足首などの適宜な箇所に取り付けることの出来るように構成したバンドにポケットを形成して警報ブザーを入れるようにした警報ブザー取り付け具であって、警報ブザーはスイッチを押しボタンスイッチにし、これをバンドのポケットに入れてポケットの上から警報ブザーを押さえることによりスイッチを操作することが出来るように構成されるものであることを特徴とする警報ブザー取り付け具。
【考案の詳細な説明】
【技術分野】
【０００１】
本考案は、非常事態や危険の発生を知らせるための警報ブザーの取り付け具に関し、殊に警報ブザーを身体の適所に取り付けて非常時や災害発生時に確実に警報を発することが出来るようにすることを特徴とするものである。
【背景技術】
【０００２】
児童や若い女性は通学時や通勤時に暴漢に狙われる危険がある。
そのため近年はスイッチを操作することにより高音を発して周囲に危険を知らせるように構成した携帯方式の警報ブザーが開発されて、これをカバンやバッグに入れるなどして不測の事件を未然に防ぐ方策が講じられている。
ところがこの警報ブザーはトグル方式のスイッチや引き紐方式の、携帯中に不意に作動することがなくしかも簡単に操作することの出来る方式のスイッチが用いられていて、操作自体は極めて簡単であり、危険が生じるときに直ちにそのスイッチを操作して警報音を発生させれば安全は確保されることゝなる。
【特許文献１】特開２００５−２１０７８９号公報
【特許文献１】特開２００５−３４５９７７号公報
【考案の開示】
【考案が解決しようとする課題】
【０００３】
解決しようとする問題点は、この警報ブザーは携帯中に不意にスイッチが入ることのないようになっているため暴漢が迫ってきたり抱きつかれたり、あるいは刃物などを突きつけられたりした状態では咄嗟に、又は暴漢に知られないようにスイッチを操作することが出来ないため、結局実効性の乏しいものであった点である。
【課題を解決するための手段】
【０００４】
本考案は、手首や足首などの適宜な箇所に取り付けることの出来るように構成したバンドにポケットを形成して警報ブザーの取り付け具とし、一方警報ブザーはスイッチを押しボタンスイッチにし、これをバンドのポケットに入れてポケットの上から警報ブザーを押さえることによりスイッチを操作することが出来るようにしたことを最も主要な特徴とする。
【考案の効果】
【０００５】
本考案の警報ブザー取り付け具は警報ブザーをポケットに入れておき、ポケットの上から警報ブザーを押さえることによりスイッチを操作することが出来るようにしたことにより、手の指でスイッチを操作するだけでなく、身体の他の部所でも操作することが出来るし、ポケット自体を他の硬いものに押し付けることによっても操作することが出来るので、暴漢に知られないようにして、手を使わなくても、手を使うことが出来ない状態のときでもスイッチを操作することが出来ることゝなり、警報ブザーの効果が確実に発揮されて、その使用目的が達せられるという利点がある。
例えばこれを警報ブザーが内側になるようにして片方の足の足首に取り付けておくと、手が使えない状態のときでも他方の足でスイッチを操作することが出来るのである。
【考案を実施するための最良の形態】
【０００６】
手首や足首などの適宜な箇所に取り付けることの出来るように構成したバンドにポケットを形成し、これに警報ブザーを入れておくことが出来るように構成したことにより警報ブザーの効果が確実に発揮されるようにするという目的を実現した。
【実施例１】
【０００７】
図１は、本考案装置の１実施例の一部省略斜視図であって、図中符号１はバンド本体、２はポケットであり、３は警報ブザーである。
バンド本体１は手首や足首、その他の棒状部分に巻きつけて取り付けるもので、幅は３〜５センチメートル程度であり、その両端部分にはこれを所定の箇所に取り付けるための固定具４（図では一例として面状ファスナーを示している。）が形成されている。
ポケット２は警報ブザー３を収納するものであり、警報ブザー３の形状や寸法に合致したサイズになっている。
また、図示はしないがポケット２は必要に応じて蓋を取り付けるなどして使用中に警報ブザー３が抜け落ちることのないようになっている。
警報ブザー３は通常のこの種のものと同じく小型で携帯しやすいように形成されており、スイッチ５は押しボタンスイッチが用いられていて、これを押すことによって作動するようになっている。
殊にこの警報ブザー３は図に示したようにスイッチ５を直径２センチメートル程度以上の面状の押しボタンスイッチにすると、手の指先だけでなく足などで押す事も出来るし、椅子の脚や壁などの硬い部位に押し付けることによっても作動する。
尚、警報ブザー３はこれ自体が高音を発するようになっているものや、このものは警報信号の発信エレメントであって、図示しない受信エレメントと対を成していて、これを作動させると警告信号を発し、その信号を離れた位置に取り付けた受信エレメントで受けて、ここから高音を発したり防犯対策所に連絡したりするようになっている。
前者の場合は暴漢等に襲われたときに周囲の人にそれを知らせたり、暴漢等を追い払う効果があり、後者の場合は建物の中などで強盗などに襲われて身の危険が生じているときにそれを強盗等に気づかれないようにして他の人に連絡することが出来るのである。
【産業上の利用可能性】
【０００８】
身の危険を防ぐだけでなく、作業中に緊急な事態が発生したときにそれを知らせる警報器としての用途にも適用できる。
【図面の簡単な説明】
【０００９】
【図１】警報ブザー取り付け具の１実施例を示す一部省略斜視図である。
【符号の説明】
【００１０】
１    バンド本体
２    ポケット
３    警報ブザー
４    固定具
【図１】
0003120461.tif 000003
(57)【要約】      （修正有）【課題】気体試料採取室と試料導入室とを一体化することにより、注射器の抜き差し・移動の操作を簡略化し、試料の採取・導入を簡便に行えるようにする。【解決手段】試料室一体型ガス注入口１と先端延長針付注射器１０とをシリコンゴム４と５の中心を通るように組み合わせて用い、注射器本体１０を少し引き出して、試料ガスを採取し、次に、注射器本体１０を押し込んで、試験装置へ試料ガスを注入する。【選択図】図３
0003120432.tif 000002
【実用新案登録請求の範囲】
【請求項１】
（ｉ）  シリコンゴム４、５によって仕切られた試料採取室２を具えた試料室一体型ガス注入口１を用いる。
（ｉｉ）  延長先端１３を溶接した延長針付注射器１０を用いる。
以上を組み合わせて用い、気体試料を採取し、試験装置へ導入する気体試料注入器
【考案の詳細な説明】
【技術分野】
【０００１】  この考案は、常圧または数気圧程度で操作するガスクロマトグラフィーや各種試験装置で、気体試料を注入口より試験装置へ導入するための試料導入に関するものである。
【背景技術】
【０００２】  従来は参考図７のように、通常、気体試料採取口と試験装置とは別々に設けられており、試料の導入は、注射器等を用い、試料採取口より試料を分取し、試験装置までもっていき、試料注入口へ差し込み、試料注入を行うものであった。
【考案の開示】
【考案が解決しようとする課題】
【０００３】  この考案の課題は、気体試料採取室と試料導入室とを一体化することにより、注射器の抜き差し・移動の操作を簡略化し、試料の採取・導入を簡便に行えるようにすることである。
【課題を解決するための手段】
【０００４】  この考案では、試料採取室と試料導入室とを一体とした試料室一体型ガス注入口１及び先端延長針付注射器１０とを、注射針がシリコンゴム４と５の中心部を通るように組み合わせて用いる（図３，４）。
このとき、シリコンゴム４と５とは、それぞれ、試料導入室と試料採取室との間、試料採取室と外部との間の機密性を保持している。
また、シリコンゴム４と５との中心部を通って注射針がスムースに摺動できるようになっている。
【考案を実施するための最良の形態】
【０００５】  以上による試料の導入は、次の通りである。
（ｉ）図３のように、注射器本体１０を少し引き出し、針のガス出入口１２を試料採取室２までもってくる。このとき、注射針の先はシリコンゴム４に突き刺さったままとなっている。
（ｉｉ）注射器プランジャ１４を引き出し注射器へある一定量の試料を採取する。
（ｉｉｉ）図４のように、注射器本体１０を押し込んで、針のガス出入口１２を試料導入室３までもってくる。
（ｉｖ）注射器プランジャ１４を押し込み、試料を導入する。
これが試料導入の一工程であり、必要なら、これを繰り返して行うことができる。
【考案の効果】
【０００６】  この考案の利点は、試料採取口と試料注入口とにおける注射器の差し込みと引き抜き、および、両口間での注射器の移動を行う必要がないことで、従って、気体試料の導入を簡便に行うことができることにある。
【図面の簡単な説明】
【０００７】
【図１】  試料室一体型ガス注入口の断面図
【図２】  先端延長針付注射器の側面図
【図３】  先端延長針付注射器と試料室一体型ガス注入口とを組み合わせた断面・側面図
【図４】  同上
【図５】  試料室一体型ガス注入口の斜視図
【図６】  本考案を試験装置に取り付けた使用例を示す模式図
【図７】  試料注入口と試料採取口とが別タイプの従来の試験装置を示す参考図
【符号の説明】
【０００８】１  試料室一体型ガス注入口
２  試料採取室
３  試料導入室
４，５  シリコンゴム
６  キャリアーガス入口
７  キャリアーガス出口（試験室核心部への接続口）
８  試料ガス流入口
９  試料ガス流出口
１０  注射器本体
１１  先端延長針
１２  ガス出入口
１３  延長先端
１４  プランジャー
１５  試験装置
１６  キャリアーガス
１７  試料ガス
１８  試験装置
１９  キャリアーガス
２０  試料ガス
２１  試料ガス採取口
２２  試料ガス注入口
【図１】
0003120432.tif 000003
【図２】
0003120432.tif 000004
【図３】
0003120432.tif 000005
【図４】
0003120432.tif 000006
【図５】
0003120432.tif 000007
【図６】
0003120432.tif 000008
【図７】
0003120432.tif 000009
(57)【要約】      （修正有）【課題】梱包物の形状に合わせて箱の幅、奥行き、高さを可変できる折り目及び切取り用のミシン目を複数本設けることにより箱を最小限の大きさにする。【解決手段】ダンボール箱に縦の折り目及び切取り用のミシン目２〜４及び２ａ〜４ａを設けることにより、幅と奥行きを梱包物の形状で決定でき、下部のミシン目を切り離すことにより折り目８を折込むことにより底が形成される。さらに横に折り目５〜７を設けることにより、梱包物の高さが決定され、上部のミシン目を切り離し折込むことにより蓋が形成されることにより箱を最小限の大きさにでき、緩衝材コスト、作業時間、宅配コストを抑えることできる。【選択図】図２
0003120435.tif 000002
【実用新案登録請求の範囲】
【請求項１】
ダンボールに複数の折り目および切取用のミシン目を設け、中に入れる物の形状に合わせて、折る位置と切取位置を変えることにより、箱の形状を変更でき緩衝材を少なく抑えることができるところを特徴とする形状の可変可能形ダンボール箱。
【考案の詳細な説明】
【技術分野】
【０００１】  本考案は、縦横に折り目及び切取用ミシン目を複数設けた、ダンボール箱に関するものである。
【背景技術】
【０００２】  保管、宅配のためにダンボールに梱包する場合、既製のダンボール規格であると入れる物の大きさで決まり、開いた空間を多くの緩衝材で埋めなければならない。また、専用箱を準備することとなると箱の種類が多くなり、緩衝材、ダンボールのコストが増加していた。
【考案の開示】
【考案が解決しようとする課題】
【０００３】  既製品のダンボール箱は幅、奥行き、高さが決まっており、梱包物を入れるとどうしても無駄な空間ができ、それを埋めるため多くの緩衝材が必要となり、作業時間も掛かっている。さらに大きさで決まる宅配料金もコスト増になっていいた。従って、ダンボール箱に複数の折り目と切取用のミシン目を設けることにより梱包物に近い大きさにすることが可能になり前述の欠点を解決しようとするものである。
【課題を解決するための手段】
【０００４】  本考案は、ダンボールに折り目及び切取用ミシン目を設け、梱包物の形状に合わせ折る位置、切り取り位置を変えることによりダンボール箱の形状を変化させ、梱包物に近い最小の大きさに出来る様にすることにより汎用性を高め、緩衝材コスト、作業時間、宅配コストの問題点を解決している。
【考案の効果】
【０００５】  上述の様に、本考案の形状の可変可能型ダンボール箱は緩衝材コスト、作業時間、宅配コストを抑えることでき、１つのダンボールで数種類の大きさをカバーできるため、ダンボールの種類が抑えることができる。
【考案を実施するための最良の形態】
【０００６】  梱包物の幅を基に縦の折込み位置を決定し折込み、その折込みの対角線上の折込線を折る、底を作成の為折込んだ下部のミシン目を切り離し（２箇所）折込んで底を作る。梱包物を中に入れ折込み高さを決定し、四隅のミシン目を切り離し、折込み蓋を作ることにより梱包物の形状あった最小の大きさに組み立てることができる。
【実施例】
【０００７】  以下、添付図面に従って実施例を説明する。立方体の梱包物の場合、中心である折り目４及び４ａを折り、その下部のミシン目を切り離し折り目８で折込んで底を作る。次に４及び４ａの上部のミシン目を折り目５まで切り離し、折り目５で折込み蓋を作り図３の箱が完成する。【０００８】  直方体の梱包物の場合、折り目２及び２ａを折り、その下部のミシン目を切り離し折り目８で折込んで底を作る。次に２及び２ａの上部のミシン目を折り目５まで切り離し、折り目５で折込み蓋を作り図４の箱が完成する。【０００９】  高さの低い梱包物の場合、中心である折り目４及び４ａを折り、その下部のミシン目を切り離し折り目８で折込んで底を作る。次に４及び４ａの上部のミシン目を折り目７まで切り離し、折り目７で折込み蓋を作り図５の箱が完成する。
【図面の簡単な説明】
【００１０】
【図１】ダンボール箱の展開図である。
【図２】図１を組み立てた状態、商品として提供する形態である。
【図３】立方体に組み立てた状態の箱である。
【図４】直方体に組み立てた状態の箱である。
【図５】高さを低く組み立てた状態の箱である。
【符号の説明】
【００１１】  １    本考案の形状の可変可能形ダンボール箱の本体である。
２    幅、奥行きを決める折り目及びミシン目である。
３    幅、奥行きを決める折り目及びミシン目である。
４    幅、奥行きを決める折り目及びミシン目である。
５    蓋のなる部分を作る折り目である。
６    蓋のなる部分を作る折り目である。
７    蓋のなる部分を作る折り目である。
８    底のなる部分を作る折り目である。
９    折り目及びミシン目である
【図１】
0003120435.tif 000003
【図２】
0003120435.tif 000004
【図３】
0003120435.tif 000005
【図４】
0003120435.tif 000006
【図５】
0003120435.tif 000007
(57)【要約】      （修正有）【課題】電源、石油等の資源を使用せず融雪ができ、使用後の融雪シート装置が簡単に整理整頓ができるものを提供する。【解決手段】発熱剤３（生石灰、アルミニウム粉末）を容器２に投入。水を加えて発熱させ、容器の上から耐熱シート１を被せて融雪する。【選択図】図１
0003120411.tif 000002
【実用新案登録請求の範囲】
【請求項１】
発熱剤（生石灰）を容器に投入、水を加えて発熱させることを特徴とする融雪シート装置。
【請求項２】
発熱剤（アルミニウム粉末、生石灰）を容器に投入。水を加えて発熱させることを特徴とする融雪シート装置。
【請求項３】
請求項１、請求項２に係る発熱剤を、発熱された容器に、耐熱シートを被せ融雪することを特徴とする融雪シート装置。
【考案の詳細な説明】
【技術分野】
【０００１】本考案は融雪シートに関する。
【背景技術】
【０００２】従来、融雪は電熱、燃料加熱湯で融雪される装置は古来より知られている。
【考案の開示】
【考案が解決しようとする課題】
【０００３】従来の融雪機は電源のない所や、場所の狭い所での使用には欠点があった。
【課題を解決するための手段】
【０００４】本考案は電源のない所、場所の狭い所でも便利にでき、使用後の整理整頓が簡単にできることを手段とした。
【考案を実施するための最良の形態】
【０００５】図１に示すように、雪を集め山にし、発熱剤（生石灰、アルミニウム粉末）等を容器に投入。水を加えて発熱させる。【０００６】容器の投入、発熱発生の熱を逃がすことなく、耐熱シート（発熱クルストバライト内蔵）を容器の上から被せる形態となる。
【考案の効果】
【０００７】電源、石油等、資源の節約、使用後の整理整頓が簡単にでき、狭い所でも数個が使用できる効果と多額の工事費が掛からない。
【図面の簡単な説明】
【図１】本考案に係る融雪シート装置構成の断面図の工程図である。
【符号の説明】
１    耐熱シート（内蔵に発熱クルストバライト）設けてある
２    容器（鉄製容器）
３    発熱剤
４    容器に設けた穿設
５    耐熱シートの根元に設けたおもり
６    雪、氷
【図１】
0003120411.tif 000003
【手続補正書】
【提出日】平成17年9月15日(2005.9.15)
【手続補正１】
【補正対象書類名】実用新案登録請求の範囲
【補正対象項目名】全文
【補正方法】変更
【補正の内容】
【実用新案登録請求の範囲】
【請求項１】
雪・氷融雪において、発熱剤を容器に投入水を加え発熱、暖熱シートを被せる融雪シート装置。
【手続補正書】
【提出日】平成17年12月22日(2005.12.22)
【手続補正１】
【補正対象書類名】実用新案登録請求の範囲
【補正対象項目名】全文
【補正方法】変更
【補正の内容】
【実用新案登録請求の範囲】
【請求項１】
水により発熱する発熱剤を収納した容器と、該容器を埋め込んだ雪に被せる耐熱シートからなる融雪装置。
(57)【要約】      （修正有）【課題】磁界中にイオンを含んだ溶液を通過させて、溶液中のイオンを分離することができる、磁力を利用したイオン分離方法及び装置を提供する。【解決手段】仮想の鉛直線に対して放射状又は求心状に磁力線を配置し、溶液は鉛直線の周囲を螺旋状に移動する。溶液の移動方向と磁力線がほぼ直角になるように部品を配置する。この時、溶液中のイオンにローレンツ力が働き、溶液の移動方向と磁力線方向の双方に対して直角方向にイオンが分離する。【選択図】図１
0003120415.tif 000002
【実用新案登録請求の範囲】
【請求項１】
仮想の鉛直線に対して放射状又は求心状に磁力線を配置し、溶液は鉛直線の周囲を螺旋状に移動する。溶液の移動方向と磁力線がほぼ直角になるように部品を配置する。この時、溶液中のイオンにローレンツ力が働き、溶液の移動方向と磁力線方向の双方に対して直角方向にイオンが分離する。
【考案の詳細な説明】
【技術分野】
【０００１】  本考案は溶液中のイオンを分離する装置に関する。
【背景技術】
【０００２】  磁界中にイオンを含んだ溶液を通過させて、イオンを分離するという本考案と同じ原理の装置は、いくつか提案されている（特許文献１、特許文献２）。
【特許文献１】特許公開  ２０００−２０２４５８  号広報
【特許文献２】特許公開  平０６−１９８２８６  号広報
【考案の開示】
【考案が解決しようとする課題】
【０００３】  現在普及している廃液処理技術・溶液のイオン分析機器等でイオンを分離する方法は、液性調整のための薬品や、イオン交換樹脂等の消耗品を必要とする。
また、本考案と同じ原理でイオンを分離する装置は既に提案されているが、本原理によるイオンの移動速度が小さいため、装置が大型になる。
【課題を解決するための手段】
【０００４】  仮想の鉛直線に対して放射状又は求心状に磁力線を配置し、溶液は鉛直線の周囲を螺旋状に移動する。溶液の移動方向と磁力線がほぼ直角になるように部品を配置する。この時、溶液中のイオンにローレンツ力が働き、溶液の移動方向と磁力線方向の双方に対して直角方向にイオンが分離する。
【考案の効果】
【０００５】  （１）現在普及している方法と違い、薬品やイオン交換樹脂等の消耗品を必要としない。
（２）溶液を螺旋状に移動させるため、溶液の移動距離が長くなっても装置が小型化できる。
（３）溶液を螺旋の上部から下部へ移動させるため、移動に要する動力が小さい。
（４）磁力線を上下方向に対して平行に配置しているため、磁力線は液の上下方向に対して均一に横切る。
（５）イオンが上下方向に分離するため、沈殿が生成する場合にも分離しやすい。
（６）大量の溶液を処理できる。
【考案を実施するための最良の形態】
【０００６】  図１の様に磁界を配置し、溶液を図１の向きに流す。
【産業上の利用可能性】
【０００７】  廃液処理、海水からのイオン分離による金属類の回収、溶液のイオン分析
【図面の簡単な説明】
【０００８】
【図１】  装置の構成例。部品の配置を示したアイソメトリック図である。
【符号の説明】
【０００９】  １  溶液の通る管        （螺旋形）
２  溶液の導入口
３  溶液の取出口上側    （図１の配置では、陰イオンに富む溶液が出てくる）
４  溶液の取出口下側    （図１の配置では、陽イオンに富む溶液が多くなる）
５  内側の磁極          （図１の配置では、Ｓ極）
６  外側の磁極          （図１の配置では、Ｎ極）
【図１】
0003120415.tif 000003
【手続補正書】
【提出日】平成17年12月19日(2005.12.19)
【手続補正１】
【補正対象書類名】実用新案登録請求の範囲
【補正対象項目名】請求項１
【補正方法】変更
【補正の内容】
【請求項１】
仮想の鉛直線に対して放射状又は求心状に磁力線を配置し、鉛直線を取り囲むように螺旋を描いている管の中を溶液が移動することによって、溶液の移動方向と磁力線方向の双方に対して直角方向に溶液中のイオンを分離するイオン分離装置。